(57)【要約】【課題】光学レンズおよび光源をランプハウジングの内部に取り付けるための複雑なスライド、ネジ、クリップ、および同様なものの必要性である。ランプ製造の間、および光源を移動する必要があるときにこの操作を行うために必要な時間と材料は、コストがかかって望ましくない。また、光源を光学レンズへ正確に向ける必要があることである。この手順も製品のコストを増加させて望ましくない。【解決手段】ハウジング、光学レンズ、およびカバーレンズから成るランプハウジング組立部品が提供される。ハウジングは、形成凹部を含む。光学レンズは、少なくとも１つの焦点、および形成凹部と結合するように構成され配置された部分を含む。カバーレンズはハウジングに封止可能であり、形成凹部の中、およびハウジングとカバーレンズの間に前記部分を捕捉して所定の位置に保持するように構成され配置される。【選択図】図１
2010045046.tif 000002
【特許請求の範囲】
【請求項１】
ランプ装置（１０）であって、
複数の位置決め穴（１０、１４、１８、２０、２２、２４、２６、２８）を有する金属支持体（１２）、
前記金属支持体に沿って取り付けられた複数のＬＥＤ組立部品（５２、５４、５６、５８）、
成型された光学レンズ（６８）にして、複数のセグメント（７０、７２、７４、７６）を有し、各セグメントはそれぞれ焦点（７８、８０、８２、８４）、および各焦点を基準にした少なくとも２つの位置ガイドピンを有し、前記支持体は各位置決め穴に位置決めされた各位置ガイドピンを用いて該光学レンズ（６８）に結合され、それにより各ＬＥＤ組立部品を前記複数のセグメントの各セグメントと各焦点に対して正確に位置決めする光学レンズ、
を含み、
前記光学レンズの少なくとも１つのタブ（１１２、１１４）とかみ合うように構成されて配置された形成凹部（１０４、１０８）を有し、前記タブが前記形成凹部の中に伸びるハウジング（１０２）、および
前記ハウジングに封止されるカバーレンズ（１３４）にして、前記タブを前記形成凹部（１０４、１０８）の中に捕捉させ、前記ハウジング（１０２）と前記カバーレンズ（１３４）との間に前記タブ（１１２、１１４）を保持し且つ捕捉するカバーレンズ、を更に含むランプ装置。
【請求項２】
カバーレンズ（１３４）が該カバーレンズ（１３４）の内面から伸びる突起を含み、タブ（１１２、１１４）を凹部（１０４、１０８）の中に捕捉するために前記突起が前記タブの表面とかみ合う請求項１のランプ装置。
【請求項３】
各タブ（１１２、１１４）が、各形成凹部（１０４、１０８）の第１の面（１２２、１２４）とかみ合う少なくとも１つのリブ（１２８）を含む請求項２のランプ装置。
【請求項４】
各タブ（１１２、１１４）がタブベース（１２６）を含み、各形成凹部（１０４、１０８）が凹部ベース（１１６）を含み、前記タブベースが前記凹部ベースとかみ合う請求項３のランプ装置。
【請求項５】
少なくとも１つのタブ（１１２、１１４）が、各凹部（１０４、１０８）の第２の面（１５２）とかみ合っているコブ（１４８）を含む請求項４のランプ装置。
【請求項６】
支持体（１２）が位置決め（１４、１６、１８、２０、２２、２４、２６、２８）を含み、
少なくとも１つのランプ組立部品（５２、５４、５６、５８）が、前記位置決めを基準にして前記支持体（１２）に取り付けられ、および
光学レンズ（６８）が少なくとも１つの焦点（７８、８０、８２、８４）、および前記焦点を基準にした少なくとも１つの位置ガイド（８６、８８、９０、９２、９４、９６、９８、１００）を有し、前記支持体が前記位置ガイドと位置合わせされた前記位置決めを用いて前記光学レンズに結合され、それによりランプ組立部品を前記焦点を基準にして正確に位置決めする請求項４のランプ装置。
【請求項７】
支持体（１２）が少なくとも２つの位置決め穴（１４、１６、１８、２０、２２、２４、２６、２８）を含み、光学レンズ（６８）が少なくとも１つの焦点（７８、８０、８２、８４）、および前記１つの焦点を基準にした少なくとも２つの位置ガイドピン（８６、８８、９０、９２、９４、９６、９８、１００）を含み、前記支持体が前記位置決め穴の各々の中に配置された前記位置ガイドピンを用いて前記光学レンズに結合され、それによりランプ組立部品（５２、５４、５６、５８）を前記焦点を基準にして位置決めする請求項６のランプ装置。
【請求項８】
金属支持体（１２）が複数の位置決め穴（１４、１６、１８、２０、２２、２４、２６、２８）を有し、
ランプが前記金属支持体に沿って取り付けられた複数のＬＥＤ組立部品（５２、５４、５６、５８）を含み、各ＬＥＤ組立部品が少なくとも２つの位置決め穴を基準にして位置決めされ、および
成型された光学レンズ（６８）が複数の部分を有し、各部分は各焦点（７８、８０、８２、８４）、および各焦点を基準にした少なくとも２つの位置ガイドピン（８６、８８、９０、９２、９４、９６、９８、１００）を有し、前記金属支持体（１２）が各位置決め穴の中に配置された前記位置ガイドピンを用いて前記光学レンズに結合され、それにより各ＬＥＤ組立部品を各焦点を基準にして正確に位置決めする請求項４のランプ装置。
【発明の詳細な説明】
【技術分野】
【０００１】
本発明は、カバーレンズによりランプハウジングの内部に封止された光学レンズおよびＬＥＤ支持体部分組立部品を含む電気ランプ組立部品に関する。また、ランプおよび光学レンズ組立部品、ならびにランプハウジング組立部品も提供される。
【背景技術】
【０００２】
電気ランプの使用に対しては多くの用途が存在する。一般に、特定の用途は、ランプ組立部品の構造的形状と電気ランプの動作特性を決定する。電気ランプの製造業者の目的は、効率的に動作して長寿命である経済的な製品を提供することである。これは、自動車で使用するための電気ランプに関して特に当てはまる。ランプの中には、所望する光学特性を得るために非常に正確に組み立てられなければならない多数の構成要素を含むものもある。その種のランプの１つは中に光学レンズを有するランプハウジングを含み、ハウジングは外部レンズの形態のカバーにより封止される。レンズをハウジングの内部に配置することはレンズが正確に調整されることを必要とし、これはコストのかかる手順である。一般に、光源もランプハウジングの内部に収容され、光源が放出した光が光学レンズにより加工される（例えば、緩和される、または分散される）ような方法で配置される。その種のランプに関する問題の１つは、内部光学レンズおよび内部光源をランプハウジングの内部に取り付けるための複雑なスライド、ネジ、クリップ、および同様なものの必要性である。ランプ製造の間、および光源を移動する必要があるときにこの操作を行うために必要な時間と材料は、コストがかかって望ましくない。
【０００３】
もう１つの問題は、内部光学レンズおよび内部光源を有する電気ランプの組立では、光源を光学レンズへ正確に向ける必要があることである。この手順も製品のコストを増加させて望ましくない。
【０００４】
いくつかの用途では、ＬＥＤを使用することが望ましく、その種のランプは効率的で非常に長寿命な光源である。ＬＥＤは自動車で特に有用である。しかし、一般にＬＥＤは、多くの業務に必要な数の光束を発生しない。その結果、ＬＥＤは連動されることが多く、このことが特に製造工程を複雑にする。何故ならば、複数のＬＥＤの向きを正確に定める必要がさらにあるからである。前記の要求の全てが、ランプ組立部品の最終コストを増加させる困難な部品組立方法をもたらす。
【発明の概要】
【発明が解決しようとする課題】
【０００５】
本発明の目的は、ランプハウジングの内部に含まれる光学レンズおよび光源を有する改良された電気ランプ組立部品を提供することである。
【０００６】
本発明の他の目的は、従来技術の短所を回避するような電気ランプ組立部品を提供することである。
【０００７】
本発明の他の目的は、経済的、効率的、かつ高品質な内部光学レンズおよび内部光源を有する電気ランプ組立部品を提供することである。
【０００８】
本発明の他の目的は、ランプハウジングの内部に正確かつ単純に取り付けられた内部光学レンズおよび光源を有する電気ランプ組立部品を提供することである。
【０００９】
本発明の他の目的は、容易かつ正確に取り付けられた光源を有する光学レンズが、ランプハウジングの製造および光源の移動の間にランプハウジングの内部に容易かつ正確に取り付けられる電気ランプ組立部品を提供することである。
【００１０】
本発明の他の目的は、改良されたランプおよび光学レンズ組立部品を提供することである。
【００１１】
本発明の他の目的は、従来技術の短所を回避するようなランプおよび光学レンズ組立部品を提供することである。
【００１２】
本発明の目的は、経済的、効率的、かつ高品質なランプおよび光学レンズ組立部品を提供することである。
【００１３】
本発明の他の目的は、改良されたランプハウジング組立部品を提供することである。
【００１４】
本発明の他の目的は、従来技術の短所を回避するようなランプハウジング組立部品を提供することである。
【００１５】
本発明の他の目的は、内部に正確かつ単純に取り付けられた内部光学レンズを有するようなランプハウジング組立部品を提供することである。
【００１６】
本発明の他の目的は、外部カバーレンズにより封止されたランプハウジングの内部に正確かつ単純に取り付けられて所定の位置に保持されるランプおよび光学レンズ組立部品を提供することである。
【課題を解決するための手段】
【００１７】
ハウジング、光学レンズ、およびカバーレンズから成るランプハウジング組立部品が提供される。ハウジングは、形成凹部を含む。光学レンズは、少なくとも１つの焦点、および形成凹部と結合するように構成され配置された部分を含む。カバーレンズはハウジングに封止可能であり、形成凹部の中、およびハウジングとカバーレンズの間に前記部分を捕捉して所定の位置に保持するように構成され配置される。
【図面の簡単な説明】
【００１８】
【図１】本発明のランプ装置の１実施例の一部を切り欠いた組立分解図である。
【図２】図１の実施例に示されたランプ組立部品が取り付けられる支持体の正面図である。
【図３】図２の背面図である。
【図４】図１で示された実施例の内部光学レンズの斜視図である。
【図５】本発明のランプおよび光学レンズ組立部品の１実施例の部分斜視図である。
【図６】線６−６に沿った図１の断面図である。
【図７】線７−７に沿った図１の断面図である。
【図８】本発明のハウジング組立部品の１実施例の一部を切り欠いた組立分解図である。
【発明を実施するための形態】
【００１９】
図１は、本発明の１実施例を示す。本発明では、位置決めを有する支持体を含むランプ装置が提供される。無制限に、支持体は、少なくとも２つの位置決め穴の形態の位置決めを有する。例えば、図１では、本発明のランプ装置１０は、複数の位置決め穴を有する細長い金属支持体１２を含む。この実施例では、８個の位置決め穴１４，１６，１８，２０，２２，２４，２６および２８が提供される。図２および図３を参照すると、細長い金属支持体１２は、支持体の反対側の端部４０，４２のベースセグメント３６、３８の間で伸びる脚部３２，３４を有する金属チャネル部材３０の形態である。中間ベースセグメント４４，４６，４８および５０はベースセグメント３６，３８の間で連動し、ベースセグメントは各ランプ組立部品を以下に記載されるように支持する。
【００２０】
本発明では、少なくとも１つのランプ組立部品が、位置決めを基準にして支持体に取り付けられる。図１から図３では、ランプ装置１０は、支持体１２に沿って取り付けられたＬＥＤ組立部品５２，５４，５６および５８の形態の複数のランプ組立部品を含み、各ＬＥＤ組立部品は少なくとも２つの位置決め穴を基準にして位置決めされる。特に、ＬＥＤ組立部品５２，５４，５６および５８は支持体１２に沿って取り付けられ、各々は位置決め穴１４，１６、および１８，２０、および２２，２４、および２６，２８の各組の間で位置決めされる。図３を参照すると、導体６０，６２はコネクタ６４に電気的かつ機械的に接続され、コネクタ６４は合わせコネクタ６６に電気的かつ機械的に接続される。コネクタ６６は、ＬＥＤ組立部品５２，５４，５６および５８に従来の方法で電気的かつ機械的に接続される。このために、ＬＥＤ組立部品５２，５４，５６および５８は、ベースセグメント３６，４４、および４４，４６、および４６，４８、および５０，３８の各組の間に電気的かつ機械的に接続される。コネクタ６６はベースセグメント４８，５０の間に電気的かつ機械的に接続され、ＬＥＤ組立部品５２，５４，５６および５８に従来の方法で電力を提供する。
【００２１】
本発明では、内部光学レンズは少なくとも１つの焦点、および前記焦点を基準にした少なくとも１つの位置ガイドを有する。支持体は位置ガイドと位置合わせされた位置決めを用いて光学レンズに結合され、それにより焦点を基準にしてランプ組立部品を正確に位置決めする。無制限に、光学レンズは少なくとも１つの焦点、および焦点を基準にして配置された少なくとも２つの位置ガイドピンの形態の少なくとも１つの位置ガイドを有する。その種の実施例では、位置決めは支持体の２つの位置決め穴の形態であり、支持体は位置ガイドピンを各位置決め穴に配置することによって光学レンズに結合され、それによりランプ組立部品を焦点を基準にして位置決めする。例えば、図１では、ランプ装置１０は成形された光学レンズ６８を含み、その詳細は図４に示される。光学レンズ６８は複数の部分７０，７２，７４および７６を含み、各部分は焦点７８，８０，８２および８４を有する。各部分７０，７２，７４および７６は、各焦点７８，８０，８２および８４を基準にした少なくとも２つの各ガイドピン８６，８８、および９０，９２、および９４，９６、および９８，１００を有する。ガイドピン８６，８８，９０，９２，９４，９６，９８および１００を各位置決め穴１４，１６，１８，２０，２２，２４，２６および２８に挿入し、それにより（支持体１２に取り付けられた）ＬＥＤ組立部品５２，５４，５６および５８を光学レンズ６８の各部分７０，７２，７４および７６、ならびに各焦点７８，８０，８２および８４を基準にして位置決めすることにより、支持体１２は光学レンズ６８に結合され、図５に示されるランプおよび光学レンズ組立部品を提供する。ガイドピンは位置決め穴にはめ込まれてもよく、または接着または他の方法により位置決め穴の中の正しい位置に保持されてもよく、それにより光学レンズ６８により提供されるレンズ光学系に対するＬＥＤ組立部品の正確な配置を可能にし、ランプハウジングに対して容易に挿入および除去可能な図５に示されるランプおよび光学レンズ組立部品を提供することを以下に記載されるように可能にする。
【００２２】
本発明では、支持体および内部光学レンズにより形成されたランプおよび光学レンズ組立部品を封止する、ハウジングおよび外部カバーレンズが提供される。１実施例では、ハウジングは、内部光学レンズの一部、およびハウジングに封止されたカバーレンズとかみ合うように構成され配置された形成凹部を有し、それにより内部光学レンズの部分を形成凹部の中およびハウジングとカバーレンズの間に捕捉する。例えば、図１に示される実施例では、ハウジング１０２は形成凹部１０４をハウジングの端部セグメント１０６に、および形成凹部１０８をハウジングの反対側の端部セグメント１１０に有する。凹部１０４，１０８は、凹部１０４を示す図６に示されるようにくさび形である。光学レンズ６８は、各々が各凹部１０４，１０８とかみ合う反対側の端部を含む。さらに詳細には、図１，図４および図６の実施例では、端部は、光学レンズ６８の本体部分の反対側の端部から伸びる、かみ合いくさび形の形態のエンドタブ１１２，１１４である。各凹部１０４，１０８は、ハウジング１０２の本体部分の内部に提供されたくさび形溝の形態である。図６を参照すると、各溝は、向かい合う面１２２，１２４を有する脚部１１８，１２０が伸びるベース１１６を有する。ベース１１６および面１２２，１２４は、光学レンズ６８のためのハウジング配置面を提供し、ここで記載したようにかみ合う。タブ１１２，１１４の各ベース１２６が各凹部のベース１１６とかみ合うまで、各タブ１１２，１１４は各凹部１０４，１０８の中に挿入される。この方法では、各タブ１１２，１１４は各凹部１０４，１０８と確実にかみ合い、ハウジング１０２に対して光学レンズ６８を正しい位置に保持する。光学レンズ６８とハウジング１０２の摩擦接触は、凹部１０４，１０８の隣接面とかみ合う圧縮性パッドをタブ１１２，１１４に提供することにより円滑にされる。例えば、少なくとも１つのパッドは、各タブに成形されてタブ表面から外側に伸びる薄いリブの形態で提供される。図１，図４および図６の実施例では、複数のリブ１２８は面１３０，１３２から外側に伸びる。各タブ１１２，１１４が各凹部１０４，１０８の中に押し込まれ、リブがかみ合い、それにより各面１２２，１２４によって変形されるるときに、リブ１２８は各面１２２，１２４に摩擦接触を提供する。その結果、ネジまたは類似の器具、同様に外見が異なる接着剤も、光学レンズ６８を正しい位置に固定するために必要ではない。
【００２３】
図１および図６の実施例では、従来の方法でハウジング１０２に封止されたカバーレンズ１３４が提供される。カバーレンズ１３４の軸方向端は、切り落とされている。カバーレンズ１３４の好ましい実施例は、カバーハウジング１０２をカバーレンズ１３４で円周方向にふさぐための円形端を含む。カバーレンズ１３４は、カバーレンズの内面１３８の周辺部のまわりで伸びる１または複数の突起１３６を含む。ハウジング１０２はチャネル１４０を含み、チャネル１４０はハウジングの内面１４２の周辺部のまわりで伸びる。ランプ装置１０を従来の方法で組み立てるとき、突起がチャネルの中に挿入されてカバーレンズ１３４をハウジング１０２に取り付けて封止するように、突起１３６とチャネル１４０は構成されて配置される。この方法で組み立てるとき、タブ１１２は溝の中で摩擦によって捕捉され、さらに各凹部１０４，１０８の中およびハウジング１０２とカバーレンズ１３４の間でタブ１１２，１１４をブロックすることにより、カバーレンズ１３４は光学レンズ６８をハウジング１０２に対して正しい位置に保持する。このために、図６に示されるように、カバーレンズ１３４は光学レンズ６８の一部を、例えば、カバーレンズの内面１３８から伸びる少なくとも１つの突起１４４と接触させる。さらに好ましい実施例では、カバーレンズの（通常の使用の間は）目に見えないエッジ部分２００が光学レンズの同様に目に見えない肩部２０２に接触し、例えば端壁がタブ１１２を支持し、またタブ１１２を凹部１０４の中でブロックする。図７は線７−７に沿った図１の断面図であり、エッジ部分２００と肩部２０２の接触を示す。タブ１１２，１１４が各凹部１０４，１０８に完全に挿入され、突起１３６がチャネル１４０に完全に挿入されるとき、各突起１４４が各タブ１１２，１１４の（ベース１２６と反対側の）端面１４６とかみ合って各ベース１２６を各凹部１０４，１０８のベース１１６に抵抗して駆り立てるような方法で、光学レンズ６８、ハウジング１０２、およびカバーレンズ１３４は構成され、配置される。或いは、タブ１１２，１１４が各凹部１０４，１０８に完全に挿入され、突起１３６がチャネル１４０に完全に挿入されるとき、肩エッジ部分２００が肩部２０２とかみ合って各ベース１２６を各凹部１０４，１０８のベース１１６に抵抗して駆り立てるような方法で、光学レンズ６８、ハウジング１０２、およびカバーレンズ１３４は構成され、配置される。成形された突起１４４は、この第２の実施例では必要ない。
【００２４】
ランプが完全に組み立てられたとき、各リブ１２８と向かい合う各面１２２，１２４のかみ合いは、光学レンズ６８をランプ装置１０に対して前後方向に正確に配置する。さらに、タブ１１２，１１４の各ベース１２６と各凹部１０４，１０８のベース１１６のかみ合いは、光学レンズ６８をランプ装置１０に対して上下方向に正確に配置するのに役立つ。光学レンズがランプ装置に対して横方向に正確に配置されることを保証するために、１つまたは両方のタブ１１２，１１４は、各凹部１０４，１０８の側壁とかみ合うように構成され配置されたコブの形態の突起を備える。図１および図４の実施例では、凹部１０８の側壁１５２とのかみ合いのためにタブ１１４の端面１５０に単一のコブ１４８が設けられる。今までの記載を考慮すると、ランプ装置が完全に組み立てられたとき、ランプ組立部品が取り付けられた内部光学レンズにより形成される図５のランプおよび光学レンズ組立部品は、ネジまたは他の補助的な取付器具を使用することなくランプハウジングの内部で正確に位置決めされる。
【００２５】
無制限に、本発明はテールランプ、センターハイマウントストップランプ（ＣＨＭＳＬ）、および同様のものに関して有用である。従って、光学レンズの機能および特定の特性は、関連するランプ組立部品の性質により決定される。例えば、図１に示されるランプ組立部品は、本発明を取り入れたＣＨＭＳＬである。光学レンズは第１の壁体、および第１の壁体から間隔を空けられた第２の壁体を含み、それにより少なくとも１つの空胴を第１の壁体と第２の壁体の間に定める。各壁体は、所望するような特定の光学的機能を提供する。例えば、図１および図５で示される実施例では、光学レンズ６８は、壁体１６６により隔てられた間に複数の空胴１５８，１６０，１６２および１６４を有する第１の壁体１５４と第２の壁体１５６を含む。各ＬＥＤ組立部品５２，５４，５６および５８は、各空胴１５８，１６０，１６２および１６４に関連づけられる。図１および図５で示されるＣＨＭＳＬ実施例では、第１の壁体１５４が果たす光学的機能は、従来の方法で各ＬＥＤ組立部品５２，５４，５６および５８からの光を拡げることである。さらに詳細には、壁体１５４の各セグメントは各空胴１５８，１６０，１６２および１６４に関連づけられ、隣接する各ＬＥＤ組立部品５２，５４，５６および５８からの光を拡げるのに役立つ。壁体１５６が果たす光学的機能は、従来の方法で壁体１５４を通して放出された光を拡散させることである。無制限に、ＣＨＭＳＬ実施例では、光学レンズ６８は透明プラスチック材料から製造されるが、他の実施例では着色プラスチック（例えば、赤色プラスチック）からも製造できる。
【００２６】
本発明は、内部レンズ、ハウジング、および外部レンズにより形成されるランプハウジング組立部品を提供する。この種のランプハウジング組立部品は、内部光学レンズをランプハウジングの内部に取り付けること、および内部光学レンズに取り付けられた外部光学レンズにより正しい位置に内部光学レンズを保持することを所望するランプ装置について有用である。例えば、図８は、光学レンズ６８、ハウジング１０２、および外部レンズ１３４により形成されたランプハウジング組立部品１６８を示す。
【００２７】
本発明の構成要素の製造に使用される特定の材料は、所望により変化してもよい。図示される実施例では、光学レンズ、カバーレンズ、およびランプハウジングは、プラスチック材料から従来の方法で成型できる。ポリカーボネートは、カバーレンズ、内部光学レンズ、およびハウジングを製造するのに有用なプラスチック材料の１例であるが、他のプラスチック材料も使用できる。無制限に、図示される実施例では、内部レンズは透明であり、カバーレンズとＬＥＤは赤色である。支持体は、板金（例えば、スズめっきされた銅）から打ち抜かれる。もし所望するなら、支持体はプリント基板から形成できる。図示されるＬＥＤは従来の方法で支持体に固定された従来のＬＥＤであり、そこへ流動ハンダ付けできる。
【００２８】
以上、本発明の好ましい実施例について図示し記載したが、特許請求の範囲によって定められる本発明の範囲から逸脱することなしに種々の変形および変更がなし得ることは、当業者には明らかであろう。
【符号の説明】
【００２９】
１０  ランプ装置
１２  支持体
１４，１６，１８，２０，２２，２４，２６，２８  位置決め穴
３０  金属チャネル部材
３２，３４  脚部
３６，３８，４４，４６，４８，５０  ベースセグメント
４０，４２  端部
５２，５４，５６，５８  ＬＥＤ組立部品
６０，６２  導体
６４，６６  コネクタ
６８  光学レンズ
７０，７２，７４，７６  部分
７８，８０，８２，８４  焦点
８６，８８，９０，９２，９４，９６，９８，１００  ガイドピン
１０２  ハウジング
１０４，１０８  凹部
１０６，１１０  端部セグメント
１１２，１１４  タブ
１１６  ベース
１１８，１２０  脚部
１２２，１２４  面
１２６  ベース
１２８  リブ
１３０，１３２  面
１３４  カバーレンズ
１３６，１４４  突起
１３８，１４２  内面
１４０  チャネル
１４６  端面
１４８  コブ
１５０  端面
１５２  側壁
１５４，１５６  壁体
１５８，１６０，１６２  空胴
１６６  壁体
１６８  ランプハウジング組立部品
２００  エッジ部分
２０２  肩部
【図１】
2010045046.tif 000003
【図２】
2010045046.tif 000004
【図３】
2010045046.tif 000005
【図４】
2010045046.tif 000006
【図５】
2010045046.tif 000007
【図６】
2010045046.tif 000008
【図７】
2010045046.tif 000009
【図８】
2010045046.tif 000010